(57)【要約】      （修正有）【課題】異なった複数の言語体系の言語を音声化する手段と、イメージデータを出力可能な手段と、を持つ二次元コードエンコーダおよび読み取り装置を提供する。【解決手段】複数の言語体系の異なる国の合成音声とテキスト文書および複数のイメージデータとを視覚にて認識する表示手段と、前記テキスト文章およびイメージデータを任意に選択して異なった合成音声に関連付ける選択手段と、前記文章の関連付けられた複数の合成音声をテキスト文章とイメージデータを制御信号として付加する手段と、前記の複数の異なった言語体系の合成音声とに関連つけられたテキスト文章と制御信号が付加されたイメージデータを二次元コード化する手段と、を備える。【選択図】図１
2015114559.tif 000002
【特許請求の範囲】
【請求項１】
複数の言語体系の異なる国の合成音声とテキスト文書および複数のイメージデータとを視覚にて認識する表示手段と、表示された前記テキスト文章およびイメージデータを任意に選択して異なった合成音声に関連付ける選択手段と、
前記文章の関連付けられた複数の合成音声をテキスト文章とイメージデータを制御信号として付加する手段と、前記の複数の異なった言語体系の合成音声に関連つけられたテキスト文章と選択されたイメージデータを二次元コード化する手段と、を備える二次元コードのエンコーダー。
【請求項２】
言語体系の異なる国の複数の合成音声とイメージデータを格納内蔵する手段と、前記制御信号が付加されたイメージデータと複数の異なった言語体系の合成音声に関連つけられて二次元コード化された二次元コードを解析する手段と、
前記解析された二次元コードをデコードする手段と、前記選択されたイメージデータをデコードして取り出す手段と、前記デコードされたテキストデータを選択された言語制御信号に基づいて言語体系の異なる国の複数の合成音声から抽出する手段と、前記抽出された言語体系の異なる国の複数の合成音声の音素にて前記テキスト文書を音声化する手段と、を備える二次元コード読み取り装置。
【発明の詳細な説明】
【技術分野】
【０００１】
本発明は、二次元コードの記録方法及びイメージセンサー及びカメラ等の画像入力装置で取り込んだ二次元コード画像から二次元コードを読み取るための二次元コード読取方法に関する。
【背景技術】
【０００２】
従来、二次元コード音声化装置および二次元コード音声化方法として、テキスト文書を二次元コード化して印字し、この二次元コード記号を読取装置によりデコードして音声合成装置より出力する方法は多く試みられている。（例えば、特許文献１参照。）。
【０００３】
テキスト文書全体が単一の音質要素で音声化されると、非常に単調であり、聴取者を飽きさせるという問題があったために、テキスト文書中の複数の文章を複数の異なる音質要素で音声化することを可能にする二次元コードエンコーダ、二次元コード音声化装置、二次元コードのエンコード方法、二次元コード音声化方法、テキスト文書音声化方法、プログラムおよびコンピュータ読み取り可能な記録媒体は提供されていた。
【０００４】
また、二次元コードの記録情報容量が少ないという問題により、二次元コードにウェブの住所（ＵＲＬ）を記録して、前記ＵＲＬにて複数言語情報を取得する試みは為されてきた。
【先行技術文献】
【特許文献】
【０００５】
【特許文献１】特開２００２−２９７１７０号公報
【発明の概要】
【発明が解決しようとする課題】
【０００６】
しかし、上記発明は単一の言語体系の中の複数の音質要素で音声化する事を目的としており、異なった言語体系を持つ多言語のグローバル化に対応することが出来ないという難点があった。
【０００７】
また、従来の試みでは聴覚的な音声対応のみに限定されており、視覚的な対応は全く為されていないという難点もあった。
【０００８】
しかし、近年の著しい技術革新により、イメージスキャナーの高画素化とCPU処理速度の高速化により読取精度が飛躍的に拡大していることと、従来の二次元コードと比較して記録容量が増大した二次元コードも開発されており、旧来と同様な二次元コード利用用途に固執する意味が薄れている。
【０００９】
本発明は、このような従来の二次元コードでは、相容れないとされた、異なった言語体系を持つ複数の言語に対応し、イメージデータも同時に表示も可能にする手段を持った二次元コードを提供することを目的とする。
【課題を解決するための手段】
【００１０】
本発明は、以下の手段により上記課題の解決を図る。
【００１１】
即ち、本発明によれば、複数の言語体系の異なる国の合成音声とテキスト文書および複数のイメージデータとを視覚にて認識する表示手段と、表示された前記テキスト文章およびイメージデータを任意に選択して異なった合成音声に関連付ける選択手段と、前記文章の関連付けられた複数の合成音声をテキスト文章とイメージデータ制御信号（イメージタグ）として付加する手段と、前記の複数の異なった言語体系の合成音声とに関連つけられたテキスト文章と制御信号が付加されたイメージデータを二次元コード化する手段と、を備える二次元コードのエンコーダーが提供される。
【００１２】
上述した二次元コードエンコーダによれば、上記選択手段がテキスト文書から任意の文章およびイメージデータをユーザに選択させるとともに、選択された上記文章およびイメージデータに対応する複数の言語体系の異なる国の合成音声からユーザに選択させ、上記エンコード手段が上記文章の上記テキストデータを上記複数言語体系の異なった言語切換用制御信号（言語切替タグ）とともに二次元コードにコード化するので、二次元コードの音声化処理において複数の言語体系の異なった言語による音声化を可能にして、選択されたイメージデータの出力も同時に可能となる二次元コードを作成することができる。
【００１３】
また、本発明によれば、複数の言語体系の異なる国の合成音声を格納する記憶手段と、イメージデータと複数言語体系の異なった言語切換用制御信号（言語切替タグ）とともに二次元コードにコード化された記号と、上記文章に対応して選択されて上記文章のテキストデータに付加された複数言語体系の異なった言語を音声合成処理させるための複数の合成音声用制御信号（言語切替タグ）がコード化された複数の合成音声用制御信号（言語切替タグ）とを含む二次元コードを読み取る二次元コード読取手段と、前記選択されたイメージデータを引き出す手段と、読み取られた上記二次元コードをデコードして上記文章のテキストデータと、このテキストデータに付加された上記複数の合成音声用制御信号（言語切替タグ）とを出力するデコード手段と、上記複数の合成音声用制御信号（言語切替タグ）に基づいて、上記選択された複数の合成音声に対応する上記複数の合成音声を上記記憶手段から引き出し、引き出された上記音質要素で上記文章を音声化処理する手段と、引き出されたイメージデータを出力する手段と、を備える二次元コード読み取り装置が提供される。
【００１４】
上記二次元コード読み取り装置によれば、記号化された上記文章に付加された複数の合成音声用制御信号（言語切替タグ）を含む上記二次元コードの画像データを上記デコード手段がデコードし、上記複数の合成音声用制御信号（言語切替タグ）に基づいて、上記選択された複数の異なった言語体系の合成音声に一致する音素で上記文章を音声化処理するので、複数の言語体系の異なるテキスト文章であっても文章ごとに対応する異なった言語体系の合成音声で音声化することができて、また対応するイメージデータも出力が可能となる。
【発明の効果】
【００１５】
この発明によれば、二次元コードにて複数の異なった言語体系の合成音声にて音声化が可能となり、またイメージデータの出力も可能となり、非常に限られた面積の二次元コードで大きな情報の発信が可能となる二次元コードの提供が可能となる。
【図面の簡単な説明】
【００１６】
【図１】本発明の二次元コード読み取り装置の構成を示す一形態である。
【図２】本発明の二次元コードエンコード方法の好ましい実施の形態例を示すフローチャート図である。
【図３】本発明の二次元記号作成ソフトウェアのエンコード選択ダイアログの一形態である。
【図４】本発明の複数の言語体系の異なった言語によるテキスト文書一形態と、複数の合成音声用制御信号（言語切替タグ）を付与した場合の説明図である。
【図５】本発明の複数の言語体系の異なった言語によるテキスト文書一形態と、複数の合成音声用制御信号（言語切替タグ）を付与して二次元コード化した場合の形態図である。
【図６】本発明の二次元コードのデコード方法の好ましい実施の形態例を示すフローチャート図である。
【発明を実施するための形態】
【００１７】
以下、本発明の二次元コード読取方法及び該二次元コードの記録媒体を実施するための最良の形態例について、図面に基づき説明する。ここでは、説明の便宜のために二次元コードエンコーダと二次元コード読み取り装置のそれぞれの一実施形態を併せて説明する。
【００１８】
二次元コードの実施形態図１は、本発明にかかる二次元コード読み取り装置の構成を示す図である。
【００１９】
図１に示す二次元コード読み取り装置は、CCDイメージスキャナーaと、デコード回路基板ｂと、複数の合成音声を格納している内蔵記憶装置ｃと、デコードして音声とイメージデータに分離処理するデコード処理基板ｄと、前記ｄで処理されたイメージデータを出力処理するイメージ出力基板ｅと、同じく前記ｄで処理された音声を出力する音声出力基板ｆと、前記イメージデータを表示するディスプレーｇと、前記ｆより出力される音声を再生するスピーカーｈとを備える。
【００２０】
内蔵記憶装置ｃは、異なった言語体系を持つ複数の合成音声を格納しており、合成音声用制御信号（言語切替タグ）に対応した合成音声を取り出せる機能を持つ。
【００２１】
図２に示されているのは、エンコード方法の一実施形態であり、本実施形態の二次元コードエンコード方法の概略手順を説明するフローチャートである。
【００２２】
まず、二次元コード化するテキスト文書を作成して、ディスプレーに表示をさせて、二次元コード生成ソフトウェアを起動する。
【００２３】
二次元コード生成ソフトウェアには、図３に概略が示されているようなエンコード選択ダイアログがプラグインされており、異なった言語体系を持つ複数の合成音声を選択するタグを配置しており、前記テキスト文書原稿に異なった言語体系の文章が入っている場合は、その文章をドラッグしてタグ釦をクリックすることで、選択された文章の先頭に選択された合成音声のタグを付与する機能を持つ。
【００２４】
また、前記テキスト文章原稿に対応したイメージデータも選択することが可能となるイメージデータ選択タグ釦もエンコード選択ダイアログに装備してあるので、予め記録してあるイメージデータをディスプレーに表示して、イメージデータの選択タグをクリックすることにより、二次元コード内にイメージデータとして記録することが可能となっている。
【００２５】
図４に示されているのは、言語体系の異なる複数の言語である英語と日本語のテキスト文章が同一ページに作成されている文章である。前記のごとく英語の文節をドラッグして、エンコード選択ダイアログより英文の選択タグをクリックすると、合成音声に関連付ける英語のタグマークＥが文頭にタグとして付けられる。
【００２６】
また、同様に日本語の文章の場合は、前記と同様に文節をドラッグして、エンコード選択ダイアログより日本語の選択タグをクリックすると、合成音声に関連付ける日本語のタグマークＪが文頭にタグとして付けられる。
【００２７】
前記テキスト文章原稿の音声関連付けとイメージデータの関連付けを完成させた後に、エンコード選択ダイアログの二次元コード作成タブをクリックすると、図４に示されているようなイメージデータおよび複数の合成音声に関連付けられた二次元コードＥＸが生成される。
【００２８】
図６に示されているのは、デコード方法の一実施形態であり、本実施形態の二次元コードをデコードする方法の概略手順を説明するフローチャートである。
【００２９】
デコード装置の概要は、図１に示されているような部品により構成されている。最初に複数の合成音声に関連付けられ、またイメージデータを記録格納した二次元コードＥＸをＣＣＤイメージスキャナーａにてグレースケール画像を撮像する。
【００３０】
前記グレースケール画像は、パターン認識処理等により画像切り出し処理を行い、画像を切り出す。前記切り出された画像は、デコード回路基板ｂによりデコード処理をされて、データ処理基板ｄに送られて、前記エンコード処理時に関連付けられた言語タグおよびイメージデータを認識する。
【００３１】
前記認識された複数の言語タグは、読み取り装置に内蔵された内蔵記憶装置ｃに送られて、各々関連付けられた言語タグは、Ｅとタグ付けされた言語タグは合成音声Ｅにより音素化され、Ｊとタグづけされた言語タグは合成音声Ｊにより音素化される。
【００３２】
前記取り出された複数の音素は、音声出力基板ｆに送付されて、音声出力としてスピーカーｈより出力される。また、前記認識されたイメージデータは、イメージ出力基板ｅに送られて、ディスプレーｇに表示される。
【００３３】
このように、本発明の二次元コードのエンコードおよびデコード読み取り装置においては、限られた面積の二次元コードより言語体系の異なった複数の音声および対応したイメージデータの情報を記録して、情報の取得が可能となる。
【００３４】
このようなデータ処理手順が二次元コード記録および読取プログラムは、コンピュータ読み取り可能なＣＤ、ＤＶＤ等の記録媒体に記録させておくことで、複数の二次元コード読取装置やコンピュータで利用可能になる。
【産業上の利用可能性】
【００３５】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００３６】
ａ  ・・・・  ＣＣＤイメージスキャナー
ｂ  ・・・・  デコード回路基板
ｃ  ・・・・  内部記憶装置
ｄ  ・・・・  データ処理基板
ｅ  ・・・・  イメージ出力基板
ｆ  ・・・・  音声出力基板
ｇ  ・・・・  ディスプレー
ｈ  ・・・・ スピーカー
Ｅ  ・・・・  言語Ｅ
Ｊ  ・・・・  言語Ｊ
ＥＸ  ・・・  二次元コード
【図４】
2015114559.tif 000003
【図１】
2015114559.tif 000004
【図２】
2015114559.tif 000005
【図３】
2015114559.tif 000006
【図５】
2015114559.tif 000007
【図６】
2015114559.tif 000008